(57)【要約】【課題】コンテンツ及び制御信号の双方向の伝送が可能な規格を用いて接続する機器間で実際に伝送可能な信号を識別可能な電子機器及びその制御方法を提供する。【解決手段】実施形態の電子機器は、設定手段と、検出手段と、起動手段と、指示手段と、出力制御手段と、を具備する。設定手段は、第一の再生モードを設定する。検出手段は、第二の再生モードと設定手段が設定した第一の再生モードとが不一致であることを検出する。起動手段は、不一致であることを検出した場合に、設定手段に、再生モードの切り替えが可能な切り替えモードの起動を指示する。指示手段は、第二の再生モードへの切り替え入力を受けつけ、設定手段に第二の再生モードへの切り替えを指示する。出力制御手段は、第二の再生モードで前記コンテンツを再生し、起動手段が起動した切り替えモードの表示と合わせて、少なくとも表示手段による映像の表示が可能に、出力する。【選択図】図２
2015192159.tif 000002
【特許請求の範囲】
【請求項１】
双方向通信により取得するコンテンツを再生する第一の再生モードを設定する設定手段と、
前記コンテンツを再生する第二の再生モードと前記設定手段が設定した前記第一の再生モードとが不一致であることを検出するモード検出手段と、
前記モード検出手段が前記不一致であることを検出した場合に、前記設定手段に、再生モードの切り替えが可能な切り替えモードの起動を指示する起動手段と、
前記起動手段が起動した前記切り替えモードにおいて、前記第二の再生モードへの切り替え入力を受けつけ、前記設定手段に前記第二の再生モードへの切り替えを指示する切り替え指示手段と、
前記切り替え指示手段が指示する前記第二の再生モードで前記コンテンツを再生し、前記起動手段が起動した前記切り替えモードの表示と合わせて、少なくとも表示手段による映像の表示が可能に、出力する出力制御手段と、
を具備する電子機器。
【請求項２】
前記出力制御手段は、前記切り替え指示手段による前記切り替え指示に従い再生モードが前記第二の再生モードに変更された場合、前記第二の再生モードで前記コンテンツを再生し、前記起動手段が起動した前記切り替えモードの表示と合わせて表示手段が表示可能に、出力する請求項１の電子機器。
【請求項３】
前記出力制御手段は、前記切り替え指示手段による前記切り替え指示に従い再生モードが前記第二の再生モードに変更された場合、前記第二の再生モードで前記コンテンツを再生し、前記起動手段が起動した前記切り替えモードの表示と合わせて、表示手段による映像の表示と再生手段による音響の再生とが可能に、出力する請求項１の電子機器。
【請求項４】
前記起動手段は、前記双方向通信の新規な起動あるいは入力切り替えに従い新たな双方向通信の開始に基づいて起動する請求項１の電子機器。
【請求項５】
前記起動手段は、前記双方向通信の新規な起動あるいは入力切り替えに従い新たな双方向通信の開始時に、入力信号を検出できない場合に起動する請求項４の電子機器。
【請求項６】
前記起動手段が起動した前記切り替えモードの表示は、個々の再生モードの詳細を説明する説明表示を含む請求項１の電子機器。
【請求項７】
前記再生モードの詳細を説明する説明表示は、サブメニューから選択可能である請求項６の電子機器。
【請求項８】
再生映像を表示する表示手段をさらに具備する請求項１−７の何れかの電子機器。
【請求項９】
前記双方向通信は、ＨＤＭＩ（High-definition Digital Media Interface）規格に準拠する請求項１−８の何れかの電子機器。
【請求項１０】
前記第一の再生モード及び前記第二の再生モードは、前記ＨＤＭＩ規格に固有の世代差を含む請求項１−９の何れかの電子機器。
【請求項１１】
双方向通信により取得するコンテンツを再生する第一の再生モードを設定し、
コンテンツを再生する第二の再生モードと第一の再生モードとが不一致であることを検出し、
第二の再生モードと第一の再生モードとが不一致であることを検出した場合に、再生モードの切り替えが可能な切り替えモードを起動し、
起動した切り替えモードにおいて、第二の再生モードへの切り替え入力を受けつけて、第二の再生モードへの切り替えを指示し、
切り替え指示に従い、第二の再生モードでコンテンツを再生し、切り替えモードの表示と合わせて、少なくとも表示手段による映像の表示が可能に、出力する
電子機器の制御方法。
【発明の詳細な説明】
【技術分野】
【０００１】
この発明は、情報を再生する電子機器及びその制御方法に関する。
【背景技術】
【０００２】
映像信号、オーディオ（音声）信号及び制御信号の双方向伝送が可能な規格としてＨＤＭＩ（High-definition Digital Media Interface）規格がある。ＨＤＭＩ規格に対応する機器は、相互に（ＨＤＭＩに準拠した）ＨＤＭＩケーブルで接続する。
【０００３】
ＨＤＭＩ規格は、制定された時期に従い、いくつかの相違（世代差）を持つ。同様に、ＨＤＭＩケーブルも、対応する規格に従い、いくつかの相違（世代差）を持つ。
【先行技術文献】
【特許文献】
【０００４】
【特許文献１】特開２００９−３３４４６号公報
【発明の概要】
【発明が解決しようとする課題】
【０００５】
ＨＤＭＩケーブルを介して接続するシンク機器（例えばテレビジョン放送受信再生装置のような映像表示装置）とソース機器（例えばレコーダ装置のような情報記録装置）とにおいては、それぞれが対応するＨＤＭＩ規格の世代が異なる場合がある。
【０００６】
例えば、ソース機器が対応するＨＤＭＩ規格よりもシンク機器が対応するＨＤＭＩ規格の世代が新しい場合、ソース機器からの映像出力あるいは音声（音響）出力もしくはその両方が、シンク機器で再生できない場合がある。
【０００７】
ＨＤＭＩケーブルが対応するＨＤＭＩ規格の世代よりもシンク機器もしくはソース機器の対応するＨＤＭＩ規格の世代よりが新しい場合も、ソース機器からの映像出力あるいは音声（音響）出力もしくはその両方が、シンク機器に伝送できない場合がある。この場合は、ＨＤＭＩケーブルの世代あるいはＨＤＭＩケーブルとソース機器との接続もしくは、ソース機器とシンク機器との接続の確認を、シンク機器が報知することが好ましい。
【０００８】
この発明の目的は、映像信号、オーディオ（音声）信号及び制御信号の双方向の伝送が可能な規格を用いて接続するソース機器とシンク機器との間で実際に伝送可能な信号を、ユーザが容易に識別可能な電子機器及びその制御方法、を提供することである。
【課題を解決するための手段】
【０００９】
実施形態の電子機器は、設定手段と、モード検出手段と、起動手段と、切り替え指示手段と、出力制御手段と、を具備する。設定手段は、双方向通信により取得するコンテンツを再生する第一の再生モードを設定する。モード検出手段は、前記コンテンツを再生する第二の再生モードと前記設定手段が設定した前記第一の再生モードとが不一致であることを検出する。起動手段は、前記モード検出手段が前記不一致であることを検出した場合に、前記設定手段に、再生モードの切り替えが可能な切り替えモードの起動を指示する。切り替え指示手段は、前記起動手段が起動した前記切り替えモードにおいて、前記第二の再生モードへの切り替え入力を受けつけ、前記設定手段に前記第二の再生モードへの切り替えを指示する。出力制御手段は、前記切り替え指示手段が指示する前記第二の再生モードで前記コンテンツを再生し、前記起動手段が起動した前記切り替えモードの表示と合わせて、少なくとも表示手段による映像の表示が可能に、出力する。
【図面の簡単な説明】
【００１０】
【図１】実施形態に係るシンク機器及び双方向伝送規格を用いてシンク機器と接続するソース機器の一例を示す。
【図２】実施形態に係るシンク機器の動作の一例をソフトウエア的に示す。
【図３】実施形態に係るアラート画面表示の表示の一例を示す。
【図４】実施形態に係るモードの切り替えを促す画面表示の表示の一例を示す。
【図５】実施形態に係るモード切り替え画面の画面表示の表示の一例を示す。
【図６】実施形態に係るモード切り替え画面の画面表示の表示の一例を示す。
【図７】実施形態に係るモード切り替え中の画面の画面表示の表示の一例を示す。
【図８】実施形態に係るモード切り替え中の画面の画面表示の表示の一例を示す。
【図９】実施形態に係るモード切り替え中の画面の画面表示の表示の一例を示す。
【図１０】実施形態に係るモード切り替え中の画面の画面表示の表示の一例を示す。
【図１１】実施形態に係るモード切り替え中の画面の画面表示の表示の一例を示す。
【図１２】実施形態に係るモード切り替え中の画面の画面表示の表示の一例を示す。
【図１３Ａ】実施形態に係る再生モードの世代差への対応の一例を示す。
【図１３Ｂ】実施形態に係る再生モードの世代差への対応の一例を示す。
【図１４】実施形態に係るモードの切り替えを促す画面表示の表示の一例を示す。
【図１５Ａ】実施形態に係るモードの切り替えを促す画面表示の表示の一例を示す。
【図１５Ｂ】実施形態に係るモード毎の動作の表示の一例を示す。
【図１６】実施形態に係るシンク機器の動作の一例をソフトウエア的に示す。
【発明を実施するための形態】
【００１１】
以下、図面を参照して、本発明の実施の一形態について説明する。
【００１２】
図１は、実施形態に係わるシンク機器（電子機器）１は、双方向通信ケーブル３０１を通じ、接続端２１１で接続するソース機器（電子機器）２０１との間で映像信号、オーディオ（音声）信号及び制御信号の双方向の伝送が可能に接続する。なお、ソース機器は２以上であってもよく、接続端の数まで接続の数を増やすことができる。シンク機器１は、例えばテレビジョン放送受信装置のような情報再生装置である。また、ソース機器２０１は、例えば、レコーダ装置のような情報記録装置である。双方向通信ケーブル３０１は、例えば、ＨＤＭＩ（登録商標）ケーブルと称され、ＨＤＭＩ（High-definition Digital Media Interface）規格に準拠し、ＨＤＣＰ（High-bandwidth Digital Content Protection）に従うシンク機器１とソース機器２０１との間の双方向の信号の伝送、が可能である。
【００１３】
なお、以下に説明する個々の要素や構成は、マイクロコンピュータ（処理装置、ＣＰＵ（Central Processing Unit））によりソフトウエアで実現するものであってもよいし、ハードウエアで実現するものであってもよい。また、番組は、ストリームあるいはコンテンツもしくは情報と称する場合もあり、映像及び映像に付属する音声あるいは音楽、等からなる。なお、映像は、動画と静止画あるいはテキスト（コード化された符号列で示される文字や記号等で表される情報）ならびにその任意の組み合わせを含む。
【００１４】
また、シンク機器１が再生する番組やソース機器２０１が記録する番組の取得は、例えば空間波（電波）を用いて番組供給元（放送局）が供給する放送の受信、例えば光ファイバ（あるいはケーブル）網もしくは空間波を用いて番組配信元（配信事業者）がインターネット・プロトコル（Internet Protocol）等に従って配信するコンテンツの受信、もしくは視聴者（ユーザ）のコンテンツサーバ（番組提供元）へのアクセス（参照と選択的な取得（ダウンロード））、等、さまざまである。
【００１５】
図１において、テレビジョン放送受信装置１は、入力端１０２、入力部（チューナ）１０３、入力端１０４〜１０７、信号処理部１０８、コントローラ１１０、ＯＳＤ処理部１１１、グラフィック処理部１１２、映像処理部１１３、音声処理部１１４、操作部１１５、受信部１１７、カードホルダ１１９、カードインタフェース１２０、明るさセンサ１２１、ＬＡＮ端子１２２、通信インタフェース１２３、ＵＳＢ端子１２４、ＵＳＢインタフェース１２５、ｉＬＩＮＫ端子１２６、ｉＬＩＮＫインタフェース１２７、ＨＤＭＩ端子１２８、ＨＤＭＩインタフェース１２９、ディスプレイ１４１、スピーカ１４２及び記憶装置（ＨＤＤ）１５１を備える。なお、入力端１０２には、アンテナ１０１が受信する放送信号あるいは外部入力信号が入力する。外部入力信号は、映像記録装置、例えばビデオカメラ装置、あるいはＳＴＢ（Set Top Box，外部チューナ）等からのデジタル映像信号及び音声（オーディオ）信号が入力可能である。
【００１６】
また、テレビジョン放送受信装置１は、ディスプレイ１４１及びスピーカ１４２を外部に有するものであってもよい。その場合、テレビジョン放送受信装置１は、（外部の）ディスプレイ１４１及びスピーカ１４２と、接続媒体（ケーブル）により接続する。なお、テレビジョン放送受信装置１は、ＨＤＤ１５１を、外部に有するものであってもよい。その場合、テレビジョン放送受信装置１は、例えば、ＵＳＢ（Universal Serial Bus）規格に準拠するＵＳＢインタフェース１２５及びＵＳＢ端子１２４を経由して、外部記憶装置（ＨＤＤ／カード型記憶媒体（メモリカード）等）と接続する。
【００１７】
テレビジョン放送受信装置１はまた、チューナを含まない構成であってもよい。その場合、テレビジョン放送受信装置１は、ＬＡＮ端子１２２を介してＩＰ通信網、等のネットワークと接続し、番組配信元（配信事業者）が配信する番組を受信できる。なお、テレビジョン放送受信装置１は、ネットワーク上の番組提供元（コンテンツサーバ）へアクセスすることにより、ストリーミング映像（ストリーム）を取得することも可能である。
【００１８】
図１が示すテレビジョン放送受信装置１においては、アンテナ１０１で受信したテレビジョン放送信号は、入力端１０２を介して入力部（チューナ）１０３に供給され、所望のチャンネルのテレビジョン放送信号が選局される。選局後のチャンネルの放送信号は、ＯＦＤＭ（orthogonal frequency division multiplexing）復調によりデジタルの映像信号及び音声（オーディオ）信号に復調され、信号処理部１０８に供給される。なお、入力部１０３は、入力部１０２に入力する（ＳＴＢ等により選択された所定の供給元からの）映像信号及び音声（オーディオ）信号については、信号の形式（フォーマット）に従い、そのまま信号処理部１０８へ供給する（場合もある）。
【００１９】
信号処理部１０８は、ＯＦＤＭ復調後の映像信号及び音声（オーディオ）信号に所定のデジタル信号処理を施し、グラフィック処理部１１２及び音声処理部１１４に出力する。なお、入力端１０４〜１０７から信号処理部１０８へ入力するアナログの映像信号及び音声信号は、信号処理部１０８がデジタル信号に変換する。信号処理部１０８は、変換後のデジタル信号に所定の信号処理を施し、グラフィック処理部１１２及び音声処理部１１４に出力する。
【００２０】
グラフィック処理部１１２は、信号処理部１０８が供給するデジタル映像信号にＯＳＤ（On Screen Display）処理部１１１が生成するＯＳＤ信号を重畳して出力する。
【００２１】
グラフィック処理部１１２が出力するデジタル映像信号は、映像処理部１１３により、後段のディスプレイ１４１の再生特性に従う、実際の画面表示のための処理の表示処理の後、ディスプレイ１４１に入力する。なお、グラフィック処理部１１２は、信号処理部１０８の出力映像信号とＯＳＤ処理部１１１の出力ＯＳＤ信号とを選択的に出力すること、両出力を、それぞれ画面の半分を構成するように組み合わせて出力すること、ＯＳＤ処理部１１１の出力を、信号処理部１０８の出力映像信号の一部を透過可能に、出力映像信号に重ね合わせて出力すること、等が可能である。また、ＯＳＤ処理部１１１の出力を重ね合わせる際の画面表示の大きさや位置、あるいは透過率は、任意に設定できる。
【００２２】
音声処理部１１４は、入力されたデジタル音声（オーディオ）信号をスピーカ１４２で再生可能なフォーマットのアナログ音声信号に変換し、スピーカ１４２にする。
【００２３】
テレビジョン放送受信装置１においては、上記した各種の受信動作を含むその全ての動作をコントローラ１１０により統括的に制御されている。コントローラ１１０は、ＣＰＵ（Central Processing Unit）等を備え、操作部１１５からの操作入力（指示）及びリモートコントローラ（リモコン）１１６が送出するコマンド（制御信号）を受信部１１７が受信した操作入力（指示）に対応する各部の動作を、制御する。なお、ディスプレイ１４１がＯＳＤ表示する［青］ボタン、［赤］ボタン、［緑］ボタン及び［黄］ボタンのそれぞれに対するリモコン１１６の同色のキーからの操作入力については、表示中の画面（モード）毎にあらかじめ決められたさまざまな制御コマンドとして受けつけ、対応する制御を実行する。
【００２４】
コントローラ１１０は、ＣＰＵが実行する制御プログラムを格納したＲＯＭ（Read Only Memory）１１０１、ＣＰＵの作業エリアとして機能するＲＡＭ（Random Access Memory）１１０２及び各種の設定情報及び制御情報等が格納される不揮発性メモリ１１０３を備える。
【００２５】
コントローラ１１０はまた、カードインタフェース１２０を介してメモリカード１１８が装着可能なカードホルダ１１９と接続する。すなわち、コントローラ１１０は、カードホルダ１１９に装着されたメモリカード１１８との間の情報の受け渡し（読み出しと書き込み）が可能である。
【００２６】
コントローラ１１０はさらに、通信インタフェース１２３を介してＬＡＮ端子１２２と接続する。従い、コントローラ１１０は、ＬＡＮ端子１２２と接続するＬＡＮ対応機器との間の情報の受け渡し（送信と受信）が可能である。すなわち、コントローラ１１０は、ＤＨＣＰ（Dynamic Host Configuration Protocol）サーバとして機能する。この場合、（コントローラ１１０は、）ＬＡＮ端子１２２と接続するＬＡＮ対応機器に、それぞれの制御のためのＩＰ（Internet Protocol）アドレスを割り当て、ＬＡＮ対応機器毎に、所定の制御を行う。
【００２７】
また、コントローラ１１０は、ＨＤＭＩインタフェース１２９を通じて、ＨＤＭＩ端子１２８と接続する。すなわち、コントローラ１１０は、ＨＤＭＩ端子１２８と接続する任意のＨＤＭＩ対応機器の間の情報の受け渡し（映像信号、オーディオ（音声）信号及び制御信号の送信と受信）が可能である。
【００２８】
コントローラ１１０はまた、ＵＳＢインタフェース１２５を介してＵＳＢ端子１２４と接続する。すなわち、コントローラ１１０は、ＵＳＢ端子１２４に接続されたＵＳＢ対応機器との間の情報の受け渡し（映像信号、オーディオ（音声）信号及び制御信号の送信と受信）が可能である。
【００２９】
さらに、コントローラ１１０は、ｉＬＩＮＫインタフェース１２７を介してｉＬＩＮＫ端子１２６と接続する。従い、コントローラ１１０は、ｉＬＩＮＫ端子１２６と接続するｉＬＩＮＫ対応機器との間の情報の受け渡し（映像信号、オーディオ（音声）信号及び制御信号の送信と受信）が可能である。
【００３０】
なお、コントローラ１１０は、明るさセンサ１２１が検出する明るさ検出信号に従い、ディスプレイ１４２が表示する映像（画像）及びバックライト（照明光）の明るさ、等を制御する。
【００３１】
ところで、ソース機器（接続相手方機器）２０１が対応する双方向伝送規格（ＨＤＭＩ規格）の世代よりもシンク機器１が対応する双方向伝送規格（ＨＤＭＩ規格）の世代が新しい（対応するＨＤＭＩ規格に世代差がある）場合、ソース機器２０１の映像出力あるいは音声（音響）出力もしくはその両方がシンク機器１に伝送できない場合がある、ことが報告されている。なお、シンク機器１は、接続するソース機器２０１が対応するＨＤＭＩ規格の世代の範囲内において、規格の世代の違い（世代差）を自動的に検出して自身の画像表示や音声再生のモードを切り替えることが可能である。しかしながら、ＨＤＭＩ規格の世代差の自動的な検出を許容できない（世代差を自動的に検出できない初期の）ソース機器が存在する。
【００３２】
このため、万一、規格の世代差を自動的に検出できない場合においては、それが手動であっても、（何らかの手続きにより）規格の世代差を検出し、ソース機器からの映像信号及びオーディオ（音声）信号を再生できることが望まれている。すなわち、ＨＤＭＩ規格の下でシンク機器１と接続するソース機器２０１からの映像信号及びオーディオ（音声）信号を、例えばシンク機器１が提供可能な最良の再生条件とは異なる再生条件であっても再生できることが必要である。
【００３３】
図２に、ソース機器（電子機器）が保持するコンテンツ（番組）を再生するシンク機器（電子機器）の動作の一例を説明する。
【００３４】
シンク機器１及びシンク機器１と接続するソース機器２０１の双方の電源がオンされ、それぞれの機器の起動処理が完了し、入力切り替え操作においてソース機器２０１と接続していることが明らかなＨＤＭＩ接続を選択したにもかかわらず、映像（画像）あるいは音声（オーディオ）もしくはその両者が再生されない場合がある。なお、起動処理の完了（終了）は、画面表示内の所定の位置、例えば右上に表示する「起動中表示（マーク）」の消去（表示の解消）、等からユーザが容易に認識できる。また、ユーザの認識を容易とするため、図３に表示の一例を示すように「ＨＤＭＩ  Ｘ  をご覧いただけません  メニュー画面を表示し、あるいは［○○色ボタン］で『ＨＤＭＩモード切替メニュー』を起動して映像／音声を確認してください」等のアラート画面表示を表示してもよい。なお、アラート画面表示においては、図３が示す表示例のように「『ＨＤＭＩ  Ｘ（Ｘは正の整数（ＨＤＭＩ端子に固有の数字）あるいは予め準備した接続名）』表示により、ＨＤＭＩ規格を適用して接続されているにも拘わらず、映像及び音声（オーディオ）が再生されていないソース機器名を（ユーザが）容易に認識可能とすることが好ましい。
【００３５】
ユーザが『ＨＤＭＩモード切替メニュー』を起動すると［０１］、図４に表示の一例を示すような、確認対象のＨＤＭＩ接続機器についてモードの切り替えを促すＯＳＤ（『ＨＤＭＩ  モード選択』が選択可能な）画面表示４１１を表示する［０２］。
【００３６】
ユーザによるリモコン操作により『ＨＤＭＩ  モード選択』が選択されると、図５に表示の一例を示す通り、画面表示５０１内の所定の位置に、『ＨＤＭＩ  Ｘ  モード選択』ＯＳＤ表示５２１を表示する。なお、ＯＳＤ表示５２１において、表示欄５２２の「Ｘ」は、正の整数（または８文字程度の文字列）を意味し、ＨＤＭＩ端子に固有の数字あるいは予め準備した接続名を表示する。また、ＯＳＤ表示５２１は、［モード  ｍ（ｍは正の整数）］の選択（入力）が可能なモード選択バー５３１〜５３ｍ（ｍは正の整数、選択可能なモードの数が最大値となる）を同時に表示する［０３］。
【００３７】
ユーザによるリモコン操作により、『ＨＤＭＩ  Ｘ  モード選択』ＯＳＤ表示５２１が表示するモードの変更（モードの選択）の指示（入力）があると［０３−ＹＥＳ］、図６に表示の一例を示すように、選択（モードの変更が指示）されたモード表示６３２の背景色が変更になり、あるいは反転し、図７に表示の一例を示すように、表示中の画面表示内の所定の位置に、例えば『切り替えています』等の動作状態を報知するＯＳＤ表示７４１を表示する［０４］。
【００３８】
ＨＤＭＩモードの切り替えが終了すると、図８に表示の一例を示すように、切り替えた後のモードのフォーマット及び解像度で、再生対象コンテンツ（映像）を、ＯＳＤ表示を表示したまま、表示する。また、音声（オーディオ）についても対応するモードに規定されているレート（帯域）で、再生する。なお、切り替えた後のモードにおいてシンク機器１による映像の表示（及び音声（オーディオ）の再生ができた場合、図９に表示の一例を示すように、例えば１０秒程度の所定時間の間、シンク機器１による映像の表示（及び音声（オーディオ）の再生を継続する。但し、切り替えた後のモードにおいても、シンク機器１による映像の表示（及び音声（オーディオ）の再生ができない場合もある［０５］。
【００３９】
切り替えた後のモードのフォーマット及び解像度の再生対象コンテンツ（映像）の表示（及び音声（オーディオ）の再生）後、例えば５秒程度の所定時間の間に、次のモードの選択（モードの変更が指示）がある場合［０６−ＹＥＳ］、［０４］−［０５］を繰り返し、図１１に表示の一例を示すように指示されたモード表示６３３の背景色が変更、あるいは反転し、表示中の画面表示内の所定の位置に、例えば『切り替えています』等の動作状態を報知するＯＳＤ表示１１４１を表示する（［０４］−［０５］）。
【００４０】
切り替えた後のモードのフォーマット及び解像度の映像の表示（及び音声（オーディオ）の再生）後、例えば１０秒程度の所定時間の間に、次のモードの選択（モードの変更が指示）がない場合［０６−ＮＯ］、図１０に表示の一例を示すように、『ＨＤＭＩ  モード選択』が選択可能なＯＳＤ画面表示を表示する（音声も再生できているものとする）。図１０は、すなわち、図４が示す『ＨＤＭＩ  モード選択』ＯＳＤ画面表示と再生できた映像を表示した状態の画面表示を表示する［０７］。
【００４１】
以下、リモコン操作により［戻る］コマンドが入力された（［戻る］に対応する操作入力を検出した）時点で、『ＨＤＭＩモード切替メニュー』を終了する［０８−ＹＥＳ］。
【００４２】
なお、ＨＤＭＩ規格は、映像及び音声（オーディオ）の再生について、世代毎に多くの再生モードを持つ。このため、図５−図９、図１１及び図１２に示した再生モードの表示数は、ＨＤＭＩ規格の世代毎に異なる。また、再生モードの表示数は、その世代において再生可能なすべての再生モードに対応して用意される。再生モードの例を、図１３Ａ及び図１３Ｂに示す。
【００４３】
図１３Ａは、個々のＨＤＭＩ端子（「ＨＤＭＩ  Ｘ」のそれぞれ）が対応するモードの例を示す。端子３（「ＨＤＭＩ  ３」）がモード１に対応しないことを示す。なお、モード１は、例えば４Ｋ映像及び３Ｄ表示が可能な「高速信号処理モード」、モード２は、例えば１９８０×１０８０Ｐ及びその３Ｄ表示が可能な「通常モード」、モード３は、例えば「互換性優先モード」と称することもある。また、任意のモードにおいて、対応しない世代については、例えばグレーアウト、等の視覚的に明瞭な表示方法を用いることも可能である。
【００４４】
図１３Ｂは、個々のモードとＨＤＭＩ規格の世代との対応の例を示す。例えば、モード３は、ＨＤＭＩ  １．２をサポートすることを示す。
【００４５】
なお、ＨＤＭＩケーブル３０１が対応するＨＤＭＩ規格の世代よりもシンク機器１もしくはソース機器２０１の対応するＨＤＭＩ規格の世代よりが新しい場合も、ソース機器２０１からの映像出力あるいは音声（音響）出力もしくはその両方が、シンク機器１に伝送できない場合がある。この場合は、ＨＤＭＩケーブル３０１の世代あるいはＨＤＭＩケーブル３０１とソース機器２０１との接続もしくは、ソース機器２０１とシンク機器１との接続の確認を、シンク機器１が報知（アラート表示をディスプレイ１４２に表示）することが好ましい。
【００４６】
以上により、シンク機器１が接続するソース機器２０１の対応するＨＤＭＩ規格の世代の範囲内において、規格の世代の違い（世代差）を自動的に検出して自身の画像表示や音声再生のモードを切り替えたにもかかわらず、ＨＤＭＩ規格の世代差を自動的に検出できないソース機器について、ユーザの操作による手動で、かつ簡易に映像（及び音声）の再生モードを切り替えることができる。これにより、切替ができない（映像（及び音声）を再生できない事例の発生を最小限に抑えることができる（規格の世代差の影響により映像（及び音声）を再生できない、という報告に対するロバスト性を向上できる）。
【００４７】
なお、図５に示した『ＨＤＭＩ  Ｘ  モード選択』ＯＳＤ表示５２１が表示するモードの変更（モードの選択）の指示（入力）の方法としては、リモートコントローラ（リモコン）の［上］矢印キーまたは［下］矢印キーによる操作入力毎に、［モード  １］，［モード  ２］，・・・，［モード  Ｎ（Ｎは正の整数）］の各ボタン表示にフォーカスのあてられている（ユーザが選択しようとしている）状態を示す背景色の変更あるいは反転表示による表示を、１つずつずらし、リモコンの操作に対応する制御コマンドが受信部１１７からコントローラ１１０に入力されるものとする。また、［決定］キーがＯＮされた時点で、その時点で選択されているモードを起動する。なお、［戻る］キーがＯＮされた場合、１つ前の画面表示を表示する（１つ前の画面表示に戻る）。もちろん、操作するキーと制御コマンドとの関係は、ソフトウエアの変更により、任意に組み合わせを変更することが可能である。また、ＯＳＤ表示による画面表示内に［決定］ボタン表示、［戻る］ボタン表示、等を表示し、リモコン操作によりその表示にカーソル移動（フォーカス）されたボタンに対するリモコンの［決定］キーの操作により、操作入力を指示することも可能である。
【００４８】
また、起動処理の完了（終了）時に前回電源をオフした時点の接続が維持されることにより、接続されている機器（ＨＤＭＩ  Ｘ）が明確である場合は、図３に示したアラート画面表示の表示に変えて（あるいはアラート画面表示内の選択肢として表示として）、図１４に表示の一例を示す「サブメニュー」画面を表示してもよい。
【００４９】
「サブメニュー」画面１４０１において、『ＨＤＭＩモード切替』バー１４５１にカーソルを移動し（フォーカスをあて）、リモコン１１６により「決定」を指示すると、図１５Ａに表示の一例を示す『ＨＤＭＩ表示モード選択』画面１５０１を表示する。
【００５０】
図１５Ａにおいて、『ＨＤＭＩ表示モード選択』画面１５０１は、ＨＤＭＩ端子（「ＨＤＭＩ  Ｘ」のうちの選択されている１つ）名を示す接続表示欄１５６１、モード選択バー（ボタン）１５７１〜１５７ｋ（ｋは正の整数、選択可能なモードの数が最大値）及び詳細説明欄１５８１、を、例えばを表示する。
【００５１】
詳細説明欄１５８１は、図１５Ｂに表示するが、選択されたモード選択バー（ボタン）１５７１〜１５７ｋに対応する「詳細説明」を表示する。
【００５２】
「詳細説明」は、例えば    
［モード  １］    
４Ｋ映像対応機器を接続する場合に選択します。    
・・・    
［モード  ２］    
３Ｄ映像対応機器を接続する場合に選択します。    
・・・    
［モード  ３］    
３Ｄ映像に対応しない機器を接続する場合に選択します。    
・・・
［モード  Ｎ−１］    
ハイビジョン対応の機器を接続する場合に選択します。    
・・・
［モード  Ｎ］
アナログ変換でご視聴の場合に選択します。    
・・・
等、である。
【００５３】
図１６に、ソース機器（電子機器）が保持するコンテンツを再生するシンク機器（電子機器）の動作の別の一例を説明する。
【００５４】
シンク機器１及びシンク機器１と接続するソース機器２０１の双方の電源がオンされ、それぞれの機器の起動処理が完了し、例えば放送受信モード（テレビジョン放送の受信）による現在放送中の番組（オンエア）が再生されている状態で、入力切り替え操作により任意のＨＤＭＩ接続機器からのコンテンツの再生あるいは外部入力もしくはネットワーク接続（インターネット閲覧）の何れかを選択する［１０］。
【００５５】
切り替えた接続（先）が任意のＨＤＭＩ接続（機器からのコンテンツの再生）である場合［１１−ＹＥＳ］、信号入力があることを検出（無信号か否かを判定）する［１２］。なお、新たに（任意のＨＤＭＩ接続端子に）ＨＤＭＩケーブルが接続された場合も同様に、信号入力があることを検出する。切り替えた接続（先）がＨＤＭＩ接続機器ではない場合は［１１−ＮＯ］、その機器の処理に移行する［３１］。
【００５６】
信号入力がない（無信号である）場合［１２−ＹＥＳ］、図３に表示の一例を示したように「ＨＤＭＩ  Ｘ  をご覧いただけません  メニュー画面を表示し、あるいは［○○色ボタン］で『ＨＤＭＩモード切替メニュー』を起動して映像／音声を確認してください」等の入力なしアラート画面表示を表示する［１３］。なお、入力なしアラート画面表示においては、図３が示す表示例のように「『ＨＤＭＩ  Ｘ（Ｘは正の整数（ＨＤＭＩ入力端子に固有の数字）あるいは予め準備した接続名）』表示により、現在、ＨＤＭＩ規格により接続されているにも拘わらず、映像及び音声（オーディオ）が再生されていないソース機器名を（ユーザが）容易に認識可能とすることが好ましい。
【００５７】
入力なしアラート画面表示の表示に応答するモード設定指示入力があった場合［１４−ＹＥＳ］、図２により説明したＨＤＭＩ接続機器についてモードの切り替えを促すＯＳＤ（『ＨＤＭＩ  モード選択』が選択可能な）画面表示の表示［０２］−切り替えた後のモードのフォーマット及び解像度の映像の表示（及び音声（オーディオ）の再生）後、例えば１０秒程度の所定時間の間に次のモードの選択（モードの変更が指示）がない場合［０６−ＮＯ］までを実行し、所定時間（例えば、４秒）経過後、変更された設定を反映して『ＨＤＭＩモード切替メニュー』を終了する［１６］。これにより、ユーザが選択した映像（及び音声（オーディオ））を再生可能な好適なＨＤＭＩ再生モードを提供できる。なお、入力なしアラート画面表示の表示に応答するモード設定指示入力がない場合［１４−ＮＯ］、所定時間（例えば、１０秒）経過後、自動的に図２により説明したＨＤＭＩ接続機器についてモードの切り替えを促すＯＳＤ（『ＨＤＭＩ  モード選択』が選択可能な）画面表示の表示［０２］に移行し、好適な再生モードによるコンテンツの再生（番組の視聴）のための『ＨＤＭＩ  モード選択』の実行をユーザに提示する［１５−ＹＥＳ］。
【００５８】
以上により、シンク機器１が接続するソース機器２０１の対応するＨＤＭＩ規格の世代の範囲内において、入力切り替え等によりＨＤＭＩ接続機器が切り替えられた場合、ＨＤＭＩ規格の世代の違い（世代差）に対応するより好適な再生モードの設定（モードの切り替え）をユーザに促すことで、ＨＤＭＩ規格の世代差の影響により映像（及び音声）を再生できない、という報告に対するロバスト性を向上できる。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１…シンク機器（テレビジョン放送受信装置／情報再生装置／電子機器）、１０２…入力端、１０３…入力部（チューナ）、１０４〜１０７…入力端、１０８…信号処理部、１１０…コントローラ、１１１…ＯＳＤ処理部、１１２…グラフィック処理部、１１３…映像処理部、１１４…音声処理部、１１５…操作部、１１６…リモートコントローラ（リモコン）、１１７…受信部、１２８…ＨＤＭＩ端子、１２９…ＨＤＭＩインタフェース、１４１…ディスプレイ、１５１…記憶装置（ＨＤＤ）、２０１…ソース機器（レコーダ装置／情報記録装置／電子機器）、２１１…接続端、３０１…双方向通信ケーブル（ＨＤＭＩケーブル）。
【図１】
2015192159.tif 000003
【図２】
2015192159.tif 000004
【図３】
2015192159.tif 000005
【図４】
2015192159.tif 000006
【図５】
2015192159.tif 000007
【図６】
2015192159.tif 000008
【図７】
2015192159.tif 000009
【図８】
2015192159.tif 000010
【図９】
2015192159.tif 000011
【図１０】
2015192159.tif 000012
【図１１】
2015192159.tif 000013
【図１２】
2015192159.tif 000014
【図１３Ａ】
2015192159.tif 000015
【図１３Ｂ】
2015192159.tif 000016
【図１４】
2015192159.tif 000017
【図１５Ａ】
2015192159.tif 000018
【図１５Ｂ】
2015192159.tif 000019
【図１６】
2015192159.tif 000020